(57)【要約】      （修正有）【課題】粘着テープ貼付装置において、テープの粘着面を指で触れることなく、テープカットと貼り付け作業が行える粘着テープ貼付装置を提供する。【解決手段】テープ粘着面が切断刃５０に対して反対面となるように装着する。粘着テープ貼付装置を、テープ貼り付け開始位置の直上に持っていき、粘着テープ貼付装置の指挿入部４０に他方の指を入れて、粘着テープの非粘着面の上からテープを押さえて、被着物に貼り付ける。その後、粘着テープを引き出して貼り付け位置を確認しながら貼り付け作業を行い、所要の位置まで貼り付けた後、テープカットを行う。テープカットの際、テープ先端部は次の貼付作業のための押え代が残るように、回転止め部６０に粘着テープを貼り付かせて固定させる。以上により、テープ粘着面に指が触れることなく、粘着テープ貼り付け作業を連続的に行えるようにする。【選択図】図１
2010247964.tif 000002
【特許請求の範囲】
【請求項１】
巻回された粘着テープを回転可能に収納し、前記粘着テープを引き出す開口部を備えたケース本体と、前記ケース本体の開口部の一辺に取り付けられる切断刃とから構成される粘着テープ貼付装置において、
前記切断刃が、前記粘着テープの非粘着面に対し配置され、前記開口部に、前記粘着テープの非粘着面側に指を挿入するための指挿入部と、開口部の前記一辺に対向する他の一辺に粘着テープ切断後の粘着テープの回転を止める回転止め部を設けたことを特徴とする粘着テープ貼付装置。
【請求項２】
請求項１の粘着テープ貼付装置において、前記回転止め部が、粘着テープの中心と前記切断刃を結んだ直線と粘着テープの中心と回転止め部を結んだ直線とがなす角度が３０度以下となる直線上に設けられていることを特徴とする粘着テープ貼付装置。
【請求項３】
前記指挿入部は、指を動かす方向に対して、垂直方向には前記切断刃から上方に１５ｍｍ以上、水平方向には指挿入部の下端となる切断刃と回転止め部との間の距離を２５ｍｍ以下、とするエリアを確保していることを特徴とする、請求項１または請求項２の粘着テープ貼付装置。
【請求項４】
前記回転止め部が、前記ケース本体と一体化または個別に設けられ、テープ粘着面と同一面となるテープ長手方向に沿って少なくとも３ｍｍの幅を有する粘着面であることを特徴とする、請求項１から請求項３のいずれかに記載の粘着テープ貼付装置。
【発明の詳細な説明】
【技術分野】
【０００１】
本発明は、セロハンテープやガムテープなどの片面のみに粘着性を有する粘着テープを装着して使う粘着テープ貼付装置に関するもので、詳しくは粘着テープの粘着面に手を触れずに、直接被着体に貼り付けてから切断する作業を連続的に行うことが出来る粘着テープ貼付装置に関するものである。  
【背景技術】
【０００２】
従来、片面のみに粘着性を有する粘着テープ貼付装置は、巻回された粘着テープを回転自在に装着したケース本体に、テープ切断用の刃物と切断した後のテープの先端部を安定させるための着受部を設けたホルダーやテープカッターなどが一般的に知られている。
公知の粘着テープ貼付装置としては、例えば、特許文献１に示されるように、テープ先端部は予めテープ切断刃の刃先位置にテープが残るようにしておき、テープ貼り付け開始時は、被着体に切断刃を押し当ててテープを貼り付け固定した後、ケース本体を引き押しながら所定の長さを貼り付け、回転規制させて切断することができる。
【先行技術文献】
【特許文献】
【０００３】
【特許文献１】特開平８−２７７８７５号公報
【発明の概要】
【発明が解決しようとする課題】
【０００４】
しかし、粘着テープの貼り付け開始時は、刃先に残された粘着テープの先端部を被着体に押圧して貼り付ける必要があるため、ティッシュペーパーのように強度が弱い被着体や、湾曲していて押圧が掛け難い形状をしている被着体に対しては、刃先を押し当てただけでは貼り付けが困難であった。また、ケース本体を引き押しながら貼り付ける必要があるため、貼り付け終点位置が狙いの位置よりも少しずれてしまう、といった状況が起こり易く、位置精度の高い貼り付けを行うことが困難であった。
【０００５】
本発明は、粘着テープの貼り付け開始時は被着体の強度や形状に限定されることなく確実な貼り付けを行うことができ、粘着テープを引き出した後は狙いの位置に精度よく貼り付けを行うことができる、使い勝手が良くテープ粘着面に指紋跡の残らない粘着テープ貼付装置を提供するものである。
【課題を解決するための手段】
【０００６】
前記の課題を解決するために、この発明では、指で粘着テープを押えるための指挿入部を設定するようにした。
【０００７】
具体的には、第１の発明では、巻回された粘着テープを回転可能に収納し、前記粘着テープを引き出す開口部を備えたケース本体と、前記ケース本体の開口部の一辺に取り付けられる切断刃とから構成される粘着テープ貼付装置において、前記切断刃が、前記粘着テープの非粘着面に対し配置され、前記開口部に、前記粘着テープの非粘着面側に指を挿入するための指挿入部と、開口部の前記一辺に対向する他の一辺に粘着テープ切断後の粘着テープの回転を止める回転止め部を設けている構成とする。
【０００８】
前記の構成によると、粘着テープを貼り付けてから粘着テープを切断する際、粘着テープが切断刃に当たって切断する前の緊張した状態から、切断された後の緩い状態となり回転止め部の方に逆回転戻りしようとするが、回転止め部を設けることで逆戻りを制限する構造としている。
また、指挿入部を設けることで、被着体に対して直接指の力を与えて粘着テープ貼り付けができるため、被着体の強度や形状によらず確実な貼り付けを行うことができる。
【０００９】
第２の発明では、前記回転止め部が、粘着テープの中心と前記切断刃を結んだ直線に対して粘着テープの中心を通る角度が３０度以下となる直線上に設けられている構成とする。
【００１０】
前記の構成によると、粘着テープを貼り付けてから粘着テープを切断する際の逆回転戻り角度を３０度以下とすることによって、切断した粘着テープの逆回転による戻り代を小さくでき、次回の貼付作業のための押え代を十分確保することができる。
またテープカットの作業においても、前記で設定する角度に見合う程度だけ前記ケース本体を傾けるだけで、容易にテープカットが行えるようになる。
【００１１】
第３の発明では、前記指挿入部は、指を動かす方向に対して、垂直方向には前記切断刃から上方に１５ｍｍ以上、水平方向には指挿入部の下端となる切断刃と回転止め部との間の距離を２５ｍｍ以下、とするエリアを確保される構成とする。
【００１２】
前記の構成によると、テープ先端部の非粘着面を押える指を指挿入部の中へ容易に挿入し押圧するためのスペースが十分確保されるとともに、粘着テープ切断後のテープ先端部がぶらぶらする遊び量を、小さく抑えることができる。
【００１３】
第４の発明では、前記回転止め部が、前記ケース本体と一体化または個別に設けられ、テープ粘着面と同一面となるテープ長手方向に沿って少なくとも３ｍｍの幅を有する面で形成されている。
【００１４】
前記の構成によると、粘着テープを切断した際の粘着テープの逆回転により、粘着テープは回転止め部まで戻るが、この時、回転止め部を３ｍｍ以上の幅を有する面にしておくことで、粘着テープ先端部は、逆回転力で回転止め部の面に安定した状態で貼り付くようになる。そのため、この状態で粘着テープ貼付装置を長時間保管しても、粘着テープの自重や張力低下、外力により軽い衝撃が加わっても、粘着テープ先端部が回転止め部から外れて粘着テープ本体に巻き戻ることを防ぐことができる。
【発明の効果】
【００１５】
以上に説明したように、本発明によれば、被着体に対して直接指の力を与えて粘着テープを貼り付けるため、被着体の形状によらず確実な貼り付けを行うことができる。更に、粘着テープを引き出した後、貼り付け終点の位置を確認しながら貼り付けが行えるため、狙いの位置に精度よく粘着テープを貼り付けることができる。また、貼り付けたテープ粘着面には直接指で触れることがないため、粘着面に指紋跡を残すことがない。
【図面の簡単な説明】
【００１６】
【図１】粘着テープ貼付装置のケース本体を内側から見た平面図
【図２】粘着テープ貼付装置の分解図
【図３】指挿入部の詳細図
【図４】貼り付け開始位置に粘着テープを押圧して貼り付けている状態を示すイメージ図
【図５】粘着テープを引き出し、ケース本体を被着体に下ろす段階を示す側面図
【図６】粘着テープの貼り付けを終了する段階を示す側面図
【図７】（ａ）粘着テープが、回転止め部（６０）に貼り付いた状態を示す側面図   （ｂ）粘着テープが、回転止め部（６０）に貼り付いた状態を示すイメージ図
【発明を実施するための形態】
【００１７】
以下、本発明を実施するための形態について、図１には粘着テープ貼付装置のケース本体を内側から見た平面図を、図２には構造分解図を示している。図１、図２を参照しながら詳細に説明する。
まず、主体となるケース本体（１０）は合成樹脂などの素材による型作り製法で対称な二枚の型から形成し、中心部にローラー状粘着テープを回転自在に装着できる円形のテープ支持体（２０）を形成し、粘着テープ（９０）を図1において反時計方向に回転するよう装着させ、前記ケース本体（１０）の一部は、指1本分の幅よりも少し大きめの凹形状の切り込みを設けて指挿入部が形成されている。前記ケース本体（１０）は側壁（１１）の周縁側から周壁（１２）を立設させて、前記凹形状の周壁のテープ側を一部開口してテープ引出口（３０）を設ける。前記引出口（３０）の下壁端には、粘着テープ切断後に緩い状態となり逆回転戻りするのを抑える回転止めの機能を有する回転止め部（６０）を形成する。前記回転止め部（６０）の配置位置は、テープ回転止め機能を有する必要があるため、粘着テープの中心と切断刃（５０）を結んだ線分の長さよりも、粘着テープの中心と回転止め部（６０）を結んだ線分の長さの方が短くなる位置に設ける。
【００１８】
図１に示すように、前記回転止め部（６０）は、粘着テープの逆回転による戻り代を小さくでき、かつ次の貼付作業のための押え代を前記指挿入部（４０）の直下に残すことができるようにするために、粘着テープの中心と前記切断刃（５０）を結んだ直線と粘着テープの中心と回転止め部（６０）を結んだ直線とがなす角度Ａが、３０度以下となる直線上に設けられている。
【００１９】
図３に示すように、前記指挿入部（４０）の寸法は、指挿入及び粘着テープの押圧を行うためのスペースとして、指を動かす方向に対して、垂直方向には前記切断刃（５０）から上方に１５ｍｍ以上、水平方向には指挿入部（４０）の下端となる切断刃（５０）と回転止め部（６０）との間の距離を２５ｍｍ以下、とするエリアを確保している。
【００２０】
前記凹形状で開口部の対角辺の底部には、引き出した粘着テープが前記テープ引出口（３０）の上下壁に接触しない位置関係となるよう前記切断刃（５０）を設けている。
【００２１】
粘着テープを切断した際の粘着テープの逆回転により、粘着テープは前記回転止め部（６０）まで戻るが、その際、粘着テープを粘着させることで安定した状態が保てるように、回転止め部（６０）は面形状とし、粘着テープが貼り付き易くするため、回転止め部（６０）をテープ粘着面と並行面にしている。
【００２２】
次に本発明の使用方法について、前記記載の最良の形態を例に説明する。
本発明を使用する際は、まず片手で粘着テープ貼付装置を持って、テープ先端部を被着体の貼り始める位置の直上に配置させて前記指挿入部（４０）に他方の指を挿入し、挿入した指で粘着テープを押圧して貼り付ける。（図４を参照）  そして、指で粘着テープを押圧したまま、前記テープ支持体（２０）が前記切断刃（５０）や前記回転止め部（６０）に接触しないようテープ支持体（２０）を少し傾けた状態で、被着体の貼り付け方向斜め上方に引き上げて粘着テープを引き出す。（図５を参照）  引き出した粘着テープの貼り付け位置を確認しながら、粘着テープを被着体に下ろして、粘着テープ先端部を押えていた指を移動させ引き出した粘着テープを押えて貼り付けていく。この引き出しと貼り付けの作業を繰り返して、狙いの貼り付け終点位置まで繰り返す。
【００２３】
粘着テープ（９０）を切断する際は、粘着テープ貼付装置の後ろ部分を持ち上げて前に倒して、粘着テープを前記切断刃（５０）に当たて切断される。（図６を参照）  切断した粘着テープは切断後に緩い状態となり逆回転戻りし前記回転止め部（６０）に当接して停止するが、この時、逆回転力により回転止め部（６０）に貼り付いて、粘着テープは図４に示されるように安定した状態となる。（図７ａ、図７ｂを参照）
【産業上の利用可能性】
【００２４】
以上説明したように、セロハンテープ等の粘着テープにおいて、粘着面に指紋跡を残すことなく、テープカットとテープ貼り付けを行うための粘着テープ貼付装置として利用できる。
【符号の説明】
【００２５】
10  ケース本体
11  側壁
12  周壁
20  テープ支持体
30  テープ引出口
40  指挿入部
50  切断刃
60  回転止め部
90  粘着テープ
100  指
【図１】
2010247964.tif 000003
【図２】
2010247964.tif 000004
【図３】
2010247964.tif 000005
【図４】
2010247964.tif 000006
【図５】
2010247964.tif 000007
【図６】
2010247964.tif 000008
【図７】
2010247964.tif 000009